(57)【要約】【課題】光の利用効率を増大させて明るい映像が得られるＤＬＰプロジェクタ装置を提供する。【解決手段】互いに角度を付けて配されたダイクロイックミラー２ｒ，２ｇ，２ｂにより光源光を色分離する。第１のＤＬＰ素子７には、それら色分離光が異なる角度をもって入射する。マイクロレンズアレイ８は第１のＤＬＰ素子７の反射光を入射し、第２のＤＬＰ素子９の画素に対して、色ごとに異なる画素に振り分けて入射させる。そして第２のＤＬＰ素子９は、第１のＤＬＰ素子７で行う３段階の角度変更の動作に応じて、各画素に入射する色を順に切り替える。これにより、第２のＤＬＰ素子９では、第１のＤＬＰ素子７の動作に応じて、画素の行または列ごとに色を順に切り換えて画像を生成する。生成された画像は投射レンズ１１で投射される。【選択図】図１
2005300808.tif 000002
【特許請求の範囲】
【請求項１】
ＤＬＰ素子によって生成した投射画像光を投射するＤＬＰプロジェクタ装置において、該ＤＬＰプロジェクタ装置は、光源光をＲＧＢに色分離するためのＲ反射ダイクロイックミラー，Ｇ反射ダイクロイックミラー，及びＢ反射ダイクロイックミラーと、各前記ダイクロイックミラーで色分離された各光を同時に入射させ、出射光の出射方向を切り替える第１のＤＬＰ素子と、該第１のＤＬＰ素子を出射した光を入射させて投射画像を生成する第２のＤＬＰ素子と、該第２のＤＬＰ素子で生成した投射画像を投射する投射レンズとを有することを特徴とするＤＬＰプロジェクタ装置。
【請求項２】
請求項１に記載のＤＬＰプロジェクタ装置において、前記Ｒ反射ダイクロイックミラー，前記Ｇ反射ダイクロイックミラー，及び前記Ｂ反射ダイクロイックミラーは、隣接する２つのダイクロイックミラーが互いに角度αをもち、該隣接する２つのダイクロイックミラーを出射した光が互いに角度２αをもって出射するように配置され、前記第１のＤＬＰ素子は、該第１のＤＬＰ素子を構成するマイクロミラーの傾斜角が−β度，０度，＋β度の３つの状態をとりうるように設定され、該３つの状態を順次連続的に切り替えることにより、それぞれの出射角度が互いに異なるＲＧＢの各光を、その相対的な関係を維持したまま前記３つの状態に応じた異なる出射角度に切り替えることを特徴とするＤＬＰプロジェクタ装置。
【請求項３】
請求項２に記載のＤＬＰプロジェクタ装置において、前記角度αとβは等しいことを特徴とするＤＬＰプロジェクタ装置。
【請求項４】
請求項２または３に記載のＤＬＰプロジェクタ装置において、該ＤＬＰプロジェクタ装置は、前記第１のＤＬＰ素子を出射した光を入射させるマイクロレンズアレイを有し、該マイクロレンズアレイは、入射したＲＧＢの各色を、それぞれ前記第２のＤＬＰ素子のマイクロミラーに振り分けて入射させ、かつ前記第１のＤＬＰ素子の３つの状態毎に、ＲＧＢの各色を入射させる前記第２のＤＬＰ素子のマイクロミラーが異なってくるように構成されていることを特徴とするＤＬＰプロジェクタ装置。
【請求項５】
請求項４に記載のＤＬＰプロジェクタ装置において、前記マイクロレンズアレイは、前記第２のＤＬＰ素子のマイクロミラーの列または行ごとに同一の色を入射させるようにＲＧＢの各色を振り分けることを特徴とするＤＬＰプロジェクタ装置。
【請求項６】
請求項１ないし５のいずれか１に記載のＤＬＰプロジェクタ装置において、フィールドにより規定している映像信号を表示する際に、前記第１のＤＬＰ素子は、前記３つの状態が各フィールドの１／３の時間毎に順に切り替えられる動作を行い、前記第２のＤＬＰ素子は、前記第１のＤＬＰ素子の動作に同期して動作し、該第２のＤＬＰ素子の全てのマイクロミラーは、フィールドの１／３の時間毎にＲＧＢの光が切り替えられて入射することを特徴とするＤＬＰプロジェクタ装置。
【請求項７】
請求項１ないし６のいずれか１に記載のＤＬＰプロジェクタ装置において、該ＤＬＰプロジェクタ装置は、前記各ダイクロイックミラーと前記第１のＤＬＰ素子との間の光路上に第１のＴＩＲプリズムを有し、前記各ダイクロイックミラーで色分離された光は、前記第１のＴＩＲプリズムで反射作用を受けた後、前記第１のＤＬＰ素子に入射することを特徴とするＤＬＰプロジェクタ装置。
【請求項８】
請求項１ないし７のいずれか１に記載のＤＬＰプロジェクタ装置において、該ＤＬＰプロジェクタ装置は、前記第１のＤＬＰ素子と前記第２のＤＬＰ素子との間の光路上に第２のＴＩＲプリズムを有し、前記第１のＤＬＰ素子を出射した光は、前記第２のＴＩＲプリズムで反射作用を受けた後、前記第２のＤＬＰ素子に入射することを特徴とするＤＬＰプロジェクタ装置。
【発明の詳細な説明】
【技術分野】
【０００１】
本発明は、ＤＬＰプロジェクタ装置、より詳細には、ＤＬＰ素子を有し、そのＤＬＰ素子によって生成した投射画像光を投射するＤＬＰプロジェクタ装置に関する。
【背景技術】
【０００２】
ＤＬＰ（Digital Light Processing）素子を用いて画像を投射するＤＬＰプロジェクタ装置が現在広く普及している。ＤＬＰプロジェクタ装置は、光源となるランプ，該ランプからの光をＲＧＢの３原色に時分割するカラーホイール，及び投射レンズを含む光学系等からなる光学部と、光源を時分割した３原色を入射させて投射画像を生成するＤＬＰ素子，入力された映像信号を処理する映像処理回路,及び該映像処理回路で処理された映像信号に従ってＤＬＰ素子を駆動するＤＬＰ駆動回路からなる電気回路部とを有している。
【０００３】
ＤＬＰ素子は、ＤＭＤ（Digital Micromirror Device）を利用した素子であり、画素を構成する微小なマイクロミラーを多数（例えば数十万枚）ワンチップに集積し、個々のマイクロミラーを制御して光の反射方向を切り替える。そしてこのときに、マイクロミラーを一秒間に数千回の速度で動作させることによって画像を描く。このように、ＤＬＰプロジェクタ装置においては、ＤＬＰ素子のひとつの画素でＲＧＢの光を制御してカラー映像を生成する。
【０００４】
ＤＬＰ素子に対して３原色に時分割した光を入射させるために、上記のカラーホイールが用いられる。カラーホイールは、例えば、図６に示すように構成される。カラーホイール２０は、ランプからの白色光を色分離するための扇型のＲ，Ｇ，Ｂの色分離フィルタ２０ｒ，２０ｇ、２０ｂを円盤上に順次配置してなり、これを回転させることにより、入射する光源光を時分割でＲ，Ｇ，Ｂに色分離してそれぞれの単色光を順次ＤＬＰ素子の表示領域全面に入射させるものである。例えばフィールドで構成される映像を表示する場合、１枚の画像を表示するにはそれぞれの単色の画像をカラーホイールと同期させ、順次Ｒ，Ｇ，Ｂ，Ｒ，Ｇ，Ｂ・・といったように表示していくことで映像表示が実現される。
【０００５】
上記のようなＤＭＤを用いたＤＬＰ素子において、例えば、特許文献１には、個々のＤＭＤの表面を所定の曲率とすることによって、隣接するＤＭＤの表面のマイクロミラー間のクリアランスを小さくし、画像を投影した際のピクセレーションを低減した投影装置が開示されている。
【特許文献１】特開２００４―２１２００号公報
【発明の開示】
【発明が解決しようとする課題】
【０００６】
上記のように、ＤＬＰプロジェクタ装置に使用するカラーフィルタは、ＲＧＢの単色を得るために、ＲＧＢのうちの特定の色のみを透過させるフィルタを使用する。１つのフィルタにおいて、その透過色以外の色成分の光は反射されるため、投影画像光として利用できる光の光量は、カラーフィルタ透過前の白色光に比べて１／３以下になってしまう。すなわち、Ｒの画像を表示しているときはＢＧの光は使用できず、Ｇの画像を表示しているときはＢＲの光は使用できないことになり、光の利用効率が悪くなるという課題がある。
また、カラーホイールは、モータ等を用いて機械的に回転させる必要があるため、その騒音対策が必要である。
【０００７】
また、カラーホイールを用いたＤＬＰプロジェクタ装置は、ＲＧＢの各色で画面全体を順次作っていくフィールドシーケンシャルと呼ばれる方式で画像表示を行うため、カラーブレーキング現象と呼ばれる一種の残像現象が発生し、カラー映像の再現においてデメリットとなっている。
【０００８】
また上記の特許文献１にも、光利用効率の低下に対する対策や、機械的騒音に対する対策については開示されていない。
【０００９】
本発明は、上述のごとき実情に鑑みてなされたもので、光の利用効率を増大させて明るい映像を提供でき、カラーブレーキング現象を起こさずに高品位な映像の提供が可能なＤＬＰプロジェクタ装置であって、カラーホイールを動作させるためのモータ等の機械的な要素を必要とせず機械的な騒音、振動等の問題が生じないＤＬＰプロジェクタ装置を提供することを目的とする。
【課題を解決するための手段】
【００１０】
第１の技術手段は、ＤＬＰ素子によって生成した投射画像光を投射するＤＬＰプロジェクタ装置において、ＤＬＰプロジェクタ装置は、光源光をＲＧＢに色分離するためのＲ反射ダイクロイックミラー，Ｇ反射ダイクロイックミラー，及びＢ反射ダイクロイックミラーと、各ダイクロイックミラーで色分離された各光を同時に入射させ、出射光の出射方向を切り替える第１のＤＬＰ素子と、第１のＤＬＰ素子を出射した光を入射させて投射画像を生成する第２のＤＬＰ素子と、第２のＤＬＰ素子で生成した投射画像を投射する投射レンズとを有することを特徴としたものである。
【００１１】
第２の技術手段は、第１の技術手段において、Ｒ反射ダイクロイックミラー，Ｇ反射ダイクロイックミラー，及びＢ反射ダイクロイックミラーは、隣接する２つのダイクロイックミラーが互いに角度αをもち、隣接する２つのダイクロイックミラーを出射した光が互いに角度２αをもって出射するように配置され、第１のＤＬＰ素子は、第１のＤＬＰ素子を構成するマイクロミラーの傾斜角が−β度，０度，＋β度の３つの状態をとりうるように設定され、３つの状態を順次連続的に切り替えることにより、それぞれの出射角度が互いに異なるＲＧＢの各光を、その相対的な関係を維持したまま３つの状態に応じた異なる出射角度に切り替えることを特徴としたものである。
【００１２】
第３の技術手段は、第２の技術手段において、角度αとβは等しいことを特徴としたものである。
【００１３】
第４の技術手段は、第２または第３の技術手段において、ＤＬＰプロジェクタ装置は、第１のＤＬＰ素子を出射した光を入射させるマイクロレンズアレイを有し、マイクロレンズアレイは、入射したＲＧＢの各色を、それぞれ第２のＤＬＰ素子のマイクロレンズに振り分けて入射させ、かつ第１のＤＬＰ素子の３つの状態毎に、ＲＧＢの各色を入射させる第２のＤＬＰ素子のマイクロミラーが異なってくるように構成されていることを特徴としたものである。
【００１４】
第５の技術手段は、第４の技術手段において、マイクロレンズアレイは、第２のＤＬＰ素子のマイクロミラーの列または行ごとに同一の色を入射させるようにＲＧＢの各色を振り分けることを特徴としたものである。
【００１５】
第６の技術手段は、第１ないし第５のいずれか１の技術手段において、フィールドにより規定している映像信号を表示する際に、第１のＤＬＰ素子は、３つの状態が各フィールドの１／３の時間毎に順に切り替えられる動作を行い、第２のＤＬＰ素子は、第１のＤＬＰ素子の動作に同期して動作し、第２のＤＬＰ素子の全てのマイクロミラーは、フィールドの１／３の時間毎にＲＧＢの光が切り替えられて入射することを特徴としたものである。
【００１６】
第７の技術手段は、第１ないし第６のいずれか１の技術手段において、ＤＬＰプロジェクタ装置は、各ダイクロイックミラーと第１のＤＬＰ素子との間の光路上に第１のＴＩＲプリズムを有し、各ダイクロイックミラーで色分離された光は、第１のＴＩＲプリズムで反射作用を受けた後、第１のＤＬＰ素子に入射することを特徴としたものである。
【００１７】
第８の技術手段は、第１ないし第７のいずれか１の技術手段において、ＤＬＰプロジェクタ装置は、第１のＤＬＰ素子と第２のＤＬＰ素子との間の光路上に第２のＴＩＲプリズムを有し、第１のＤＬＰ素子を出射した光は、第２のＴＩＲプリズムで反射作用を受けた後、第２のＤＬＰ素子に入射することを特徴としたものである。
【発明の効果】
【００１８】
本発明によれば、従来のカラーホイールに代えて３枚のダイクロイックミラーを用い、ランプからの白色光をＲＧＢに分離して、その分離光を最終の第２のＤＬＰ素子の画面全体に入射させるので、光の利用効率を増大させて明るい映像を提供することができる。
しかも、第２のＤＬＰ素子では、どの瞬間においてもＲＧＢの各色の表示が行われているので、カラーブレ−キング現象を起こすことなく、高品位な映像の提供が可能である。またカラーホイールを動作させるためのモータ等の機械的な要素を必要とせず、動作は全て電気的に行われるため、機械的な騒音、振動等の問題が生じない。
【発明を実施するための最良の形態】
【００１９】
図１は、本発明によるＤＬＰプロジェクタ装置の一実施例を説明するための図で、図中、１はランプ、１ａはランプ１が備えるリフレクタ、２ｂは青反射用ダイクロイックミラー、２ｇは緑反射用ダイクロイックミラー、２ｒは赤反射用ダイクロイックミラー、３は第１のＴＩＲプリズム（全反射プリズム）、４は映像処理回路、５は第１ＤＬＰ駆動回路、６は第２ＤＬＰ駆動回路、７は第１のＤＬＰ素子、７ｍは第１のＤＬＰ素子が備えるマイクロミラー、８はマイクロレンズアレイ、９は第２のＤＬＰ素子、９ｍは第２のＤＬＰ素子が備えるマイクロミラー、１０は第２のＴＩＲプリズム（全反射プリズム）、１１は投射レンズである。
【００２０】
ＤＬＰプロジェクタ装置は、光源となるランプ１，該ランプ１からの光をＲＧＢの３原色に分割するダイクロイックミラー２ｂ，２ｇ，２ｒ，マイクロレンズアレイ８等を含む光学系等からなる光学部と、光源光を分割した光の出射角度を切り替える第１のＤＬＰ素子７，光源光を分割した光から画像を生成する第２のＤＬＰ素子９，入力された映像信号を処理する映像処理回路４，該映像処理回路４で処理された映像信号に従って第１及び第２のＤＬＰ素子７，９をそれぞれ駆動する第１及び第２ＤＬＰ駆動回路５，６等からなる電気回路部とを有している。
【００２１】
ランプ１から出力された光は、リフレクタ１ａまたは図示しないコンデンサレンズにより集光され、３枚のダイクロイックミラー２ｂ，２ｇ，２ｒでＢ（青），Ｇ（緑），Ｒ（赤）の光に分離される。これら３枚のダイクロイックミラー２ｂ、２ｇ、２ｒのうち隣接する２つのダイクロイックミラーは、それぞれ互いに角度α度を持って配置される。
【００２２】
図１の構成では、３枚のダイクロイックミラー２ｂ，２ｇ，２ｒは、入射側から順に、青反射、緑反射、赤反射ダイクロイックミラーを配しているが、これらの配列順序は限定されず、適宜選択することが可能である。
【００２３】
上述したように、隣接する２つダイクロイックミラーの角度がα度開いて配置されているので、ダイクロイックミラー２ｂ、２ｇ、２ｒにて反射して色分離されたＲ、Ｇ、Ｂの単色光のうちの隣接するダイクロイックミラーからの出射光は、互いに２αの角度差を有して出射する。
【００２４】
図２は、第１のＤＬＰ素子７における作用について説明するための図で、第１のＤＬＰ素子７を構成するマイクロミラー７ｍが−α度傾いた状態を図２（Ａ）に、マイクロミラー７ｍが０度の状態を図２（Ｂ）に、マイクロミラー７ｍがα度傾いた状態を図２（Ｃ）に示すものである。
ダイクロイックミラー２ｂ，２ｇ，２ｒで色分離された光は、第１のＴＩＲプリズム３により１回反射されて、第１のＤＬＰ素子７へ入射する。一般にＤＬＰ素子は、上述のように、画素となるマイクロミラーを縦横に並べて配置したマトリックス型の表示デバイスであり、マイクロミラーを２方向へ高速で傾けることにより入射した光を２方向へ反射させ、２方向のうち片方を投射レンズに導き、また投射レンズ側とそうでない側とを時間的に切り替えるＰＷＭ動作を行うことで映像の階調を表現する。このときに２方向の中間位置（フラットの位置）もとることができる。本実施形態では、第１のＤＬＰ素子７のマイクロミラー７ｍの角度位置は、α度、０度、−α度のいずれかとする。実際のＤＬＰ素子では、この角度αは、１０度から１２度に設定されている。
【００２５】
図２において、第１のＤＬＰ素子７のひとつのマイクロミラー７ｍに入射したＲＧＢの光は、前記したように角度差２αで入射してくる。
このときマイクロミラー７ｍが、−α度傾いた状態にあると（図２（Ａ））、そのマイクロミラー７ｍにおける反射光は、図２（Ａ）に示されるような方向になる。またマイクロミラー７ｍの角度が０度のときのフラットな状態では（図２（Ｂ））、反射光の反射方向が図２（Ａ）より、２α度シフトする。またマイクロミラー７ｍがα度傾いた状態になると（図２（Ｃ））、さらに図２（Ｂ）の状態から２α度シフトする。
【００２６】
すなわち、第１のＤＬＰ素子７のマイクロミラー７ｍに入射するＲＧＢのそれぞれの角度を（−２α度、０度、２α度）とするとき、マイクロミラー７ｍの傾く角度が（−α度、０度、α度）の状態をとれば、反射光の角度はそれに応じて（０度、−２α度、−４α度）、（２α度、０度、−２α度）、（４α度、２α度、０度）の３つの状態をとることができる。
【００２７】
上記の図２（Ａ）ないし図２（Ｃ）は、マイクロミラー１画素に入射する光の反射状態を説明するものであるが、実際には、ＤＬＰ素子は、これらのマイクロミラーを表示領域全面にマトリクス状に配してなる。ここで、第１のＤＬＰ素子７は、全てのマイクロミラー７ｍが同時に同一方向に傾くように動作させる。
【００２８】
図３は、第１のＤＬＰ素子７の動作状況を説明するための図である。第１のＤＬＰ素子７において、全てのマイクロミラー７ｍを同一方向に向くように動作させることにより、ダイクロイックミラー２ｂ，２ｇ，２ｒで色分離され第１のＴＩＲプリズム３を通った光が、恰も１枚の大きな（第１のＤＬＰ素子７の表示面積に等しい）鏡で反射する作用と等価な作用が実現される。ここでは、第１のＤＬＰ素子７のマイクロミラー７ｍが傾くことによって、その反射光が第１のＤＬＰ素子７の全領域において、角度２αずつシフトして反射する。
【００２９】
第１のＤＬＰ素子７より反射された出力光は、第２のＴＩＲプリズム１０の入射面手前に配されたマイクロレンズアレイ８に入射する。マイクロレンズアレイ８を構成する個々のレンズ要素は、第２のＤＬＰ素子９の隣り合う３つの画素（１つのマイクロミラー９ｍが１画素に相当）または画素列に対して、１個または１組の割合で配される。
【００３０】
図４は、マイクロレンズアレイ８から第２のＤＬＰ素子９への入射光路のパターンを説明するための図で、第１のＤＬＰ素子７がとりうる３つのマイクロミラー９ｍの傾き状態に応じた光路をそれぞれ図４（Ａ），図４（Ｂ），図４（Ｃ）に示すものである。
図１に示すように、本実施形態においては、マイクロレンズアレイ８を通った光は第２のＴＩＲプリズム１０で１回反射して第２のＤＬＰ素子９に入射するが、図４は、説明のため第２のＴＩＲプリズム１０を省いており、また第２のＤＬＰ素子９への入射角度についても考慮していない。
【００３１】
上述したように、第１のＤＬＰ素子により（０度、−２α度、−４α度）、（２度、０度、−２α度）、（４α度、２α度、０度）の３つの状態をとることができるＲＧＢの光がマイクロレンズアレイ８に入射すると、上記３つの状態に応じてそれぞれ図４（Ａ），図４（Ｂ），図４（Ｃ）のように、第２のＤＬＰ素子９の画素となるマイクロミラー９ｍへの入射パターンが得られる。
【００３２】
マイクロレンズアレイ８を構成する１つのレンズ要素、あるいは光路上にマイクロレンズアレイを複数枚設けたとき（図４の例は２枚）の積層方向における光路上の一組のレンズ要素は、入射したＲＧＢの光を、第２のＤＬＰ素子９の隣接する３つのマイクロミラー９ｍに入射させるように構成されている。ここで第２のＤＬＰ素子９の隣接する３つのマイクロミラー９ｍには、ＲＧＢのいずれかが入射し、隣接するマイクロミラー９ｍ同士の色は異なっている。
【００３３】
そして、図４（Ａ）〜図４（Ｃ）に示すように、第１のＤＬＰ素子７のマイクロミラー７ｍの状態を切り替えることにより、上下（左右でもよいが）１画素分シフトしたパターンが得られる。換言すれば、このようなパターンが得られるように、マイクロミラー９ｍが設計される。これは上記第１のＤＬＰ素子７の３つの状態に応じて、第２のＤＬＰ素子９の全画素の色が列または画素ごとに切り替えられることを意味する。
また、図４の例ではマイクロレンズアレイ８を２枚のレンズアレイで構成し、２枚の距離を適当に選ぶことで第２のＤＬＰ素子９に結像させることを容易にしているが、マイクロレンズアレイ８の配置は設計事項であって、適宜選択できる。
【００３４】
第２のＤＬＰ素子９は、第１のＤＬＰ素子７と異なり、カラーホイールを用いた従来のＤＬＰプロジェクタ装置と同じように、入射した光を−α度とα度の２方向へ反射させ、２方向のうち片方を投射レンズ１１に導き、また投射レンズ１１側とそうでない側とを時間的に切り替えるＰＷＭの動作をさせることで映像の階調を表現する動作を行う。すなわち、第２のＤＬＰ素子９が映像を作り出す要素となる。
【００３５】
ここで、上記第１のＤＬＰ素子７の３つの状態に応じて、第２のＤＬＰ素子９の全画素（マイクロミラー９ｍ）の色が列または画素ごとに切り替えられるため、従来と同じような第２のＤＬＰ素子９の画面全体に例えばＲの光が入射しているときにＲの映像を表示する、という動作ではなく、第２のＤＬＰ素子９の列または画素ごとにそれぞれの色の光が入射しているときにはその色の映像を表示する動作を行わせる。また第１のＤＬＰ素子７による光の切り替え動作と、第２のＤＬＰ素子９の表示の動作とは必然的に同期している。
【００３６】
また、フィールドで構成される電気的な映像信号を連続して表示する動作に際しては、ひとつのフィールド期間を３分割し、第１のＤＬＰ素子７と第２のＤＬＰ素子９の動作を同期させながら、分割した期間を第１のＤＬＰ素子７の３つの状態にふりわけ、図２（Ａ），図２（Ｂ），図２（Ｃ）の状態及びこれらにそれぞれ対応する図４（Ａ），図４（Ｂ），図４（Ｃ）の状態を順次切り替えて繰り返し動作させる。切り替えに要する時間としては、第１のＤＬＰ素子７の全てのマイクロミラー７ｍが同一方向に傾くまでの時間が必要であるが、第１のＤＬＰ素子７のマイクロミラー７ｍの傾く時間は数マイクロ秒であるため高速な切り替えが可能で、従って映像表示に使用できるＰＷＭの期間を十分確保できる。
【００３７】
図５は、映像の表示パターンの一例を説明するための図で、第２のＤＬＰ素子９に対する光の照射パターンの切り替え状態を模式的に示す図である。第１のＤＬＰ素子７の３つの状態に応じて、第２のＤＬＰ素子９では図５のＳ１→Ｓ２→Ｓ３→Ｓ１・・・のように映像が切り替えられ、この映像が投射レンズを介してスクリーン等に拡大されて映し出される。
【００３８】
なお、上記の実施形態では、隣接する２つのダイクロイックミラーの角度差はαで、第１のＤＬＰ素子７のマイクロミラー７ｍの動作角度は−α，０，＋α度として設定したが、マイクロミラー７ｍの動作角度をαとは異なる−β，０，＋β度としてもよい。このとき、光学系の最適化により、上記実施形態と同様の機能を実現できればよい。
【００３９】
なお、第２のＤＬＰ素子９は映像を作り出す部分であるから、全てのマイクロミラー９ｍが正常に動作する必要がある。ある特定のマイクロミラー９ｍが動作しなければ、その部分は欠陥となって映像を作り出せなくなるためである。
ＤＬＰ素子の製造過程においては、この欠陥を無くす努力がなされているが必ずしも無欠陥なものが高い歩留まりでは製造できていない。欠陥のあるものは不良となり、その時点で無価値のゴミとなってしまう。
【００４０】
本実施形態における第１のＤＬＰ素子７は、全てのマイクロミラー７ｍを同一の方向に傾ける駆動を行うが、第２のＤＬＰ素子９と同じものを使用することができる。ここでは、全てのマイクロミラー７ｍが動作しなくてはならないという理由はない。光の反射方向を変えてマイクロレンズアレイ８に入射させるのであるから、ある程度の欠陥があってもよい。従って映像表示を行う目的では不良となったＤＬＰ素子であっても、本実施形態の第１のＤＬＰ素子７として使用可能になる。言い換えれば第１のＤＬＰ素子７のコストは非常に低くすることができる。ＤＬＰ素子をふたつ用いる本発明においては、ＤＬＰ素子のコストは１個＋α分ですむ。従って本発明の構成を低コストで実現できる。
【図面の簡単な説明】
【００４１】
【図１】本発明によるＤＬＰプロジェクタ装置の一実施例を説明するための図である。
【図２】第１のＤＬＰ素子における作用について説明するための図である。
【図３】第１のＤＬＰ素子の動作状況を説明するための図である。
【図４】マイクロレンズアレイから第２のＤＬＰ素子への入射光路のパターンを説明するための図である。
【図５】映像の表示パターンの一例を説明するための図である。
【図６】ＤＬＰプロジェクタ装置に適用されるカラーホイールの構成例を示す図である。
【符号の説明】
【００４２】
１…ランプ、１ａ…リフレクタ、２ｂ…青反射用ダイクロイックミラー、２ｇ…緑反射用ダイクロイックミラー、２ｒ…赤反射用ダイクロイックミラー、３…第１のＴＩＲプリズム（全反射プリズム）、４…映像処理回路、５…第１ＤＬＰ駆動回路、６…第２ＤＬＰ駆動回路、７…第１のＤＬＰ素子、７ｍ…第１のＤＬＰ素子が備えるマイクロミラー、８…マイクロレンズアレイ、９…第２のＤＬＰ素子、９ｍ…第２のＤＬＰ素子が備えるマイクロミラー、１０…第２のＴＩＲプリズム（全反射プリズム）、１１…投射レンズ、２０…カラーホイール、２０ｒ，２０ｇ、２０ｂ…色分離フィルタ。
【図１】
2005300808.tif 000003
【図２】
2005300808.tif 000004
【図３】
2005300808.tif 000005
【図４】
2005300808.tif 000006
【図５】
2005300808.tif 000007
【図６】
2005300808.tif 000008